(57)【要約】  【課題】遊技釘が遊技盤の正規位置に存在するか否かを容易に検査可能にする。  【解決手段】  スペーサー１１をパチンコ機１０に装着した時、２本の遊技釘４３がいずれも正規位置にあれば、スペーサー１１の下端１１ａが第１始動口４７の上端４７ａに当接する。これを正面から見ると、頭部位置指示部１６は遊技釘４３Ｓの頭部４３ｈと重なってほとんど見えない状態となる。このようなスペーサー１１によれば、スペーサー１１をパチンコ機１０に装着できない場合には、遊技釘４３Ｓが正規位置にないと判定することができる。そしてスペーサー１１をパチンコ機１０に装着できた際には、スペーサー１１の下端１１ａが第１始動口４７の上端４７ａに接触しているか否か、及び正面から見て遊技釘４３Ｓの頭部４３ｈの位置が頭部位置指示部１６からずれていないかを見ることにより、遊技釘４３Ｓが正規位置にあるか否かを判定することができる。【選択図】    図６
2018183370.tif 000002
【特許請求の範囲】
【請求項１】
複数の遊技釘が遊技盤上に植設され、該遊技盤に形成された入賞口に遊技球が入賞すると賞球を払い出す弾球遊技機に用いられるスペーサーであって、
前記入賞口の一部に当接される当接部と、
該当接部に前記入賞口の一部を当接させた際に、前記複数の遊技釘の内の少なくとも１本が位置すべき箇所に形成された貫通孔であり、該少なくとも１本の遊技釘を挿通可能な遊技釘挿通部と
を備えたことを特徴とするスペーサー。
【請求項２】
請求項１に記載のスペーサーにおいて、
当該スペーサーが、略円柱状の胴部と、該胴部よりも大径の円形の頭部とを有する複数の前記遊技釘を遊技盤上に植設した弾球遊技機に用いられるものであり、
前記遊技釘挿通部が、
前記頭部が通る貫通孔である頭部挿通部と、
該頭部挿通部を通った前記遊技釘の前記胴部を位置させることが可能なスリット状の貫通孔であり、幅が前記胴部の直径に略等しい第１胴部挿通部と、
前記当接部を前記入賞口の一部に当接させた際の、前記第１胴部挿通部に挿通された前記遊技釘の頭部の正規位置を表す頭部位置指示部と
を備え、
前記当接部を前記入賞口の一部に当接させると、前記第１胴部挿通部に、正規の位置にある前記遊技釘の胴部が位置することを特徴とするスペーサー。
【請求項３】
請求項１または２に記載のスペーサーにおいて、
前記当接部が、該当接部に当接される前記入賞口の部位よりも大きく、
正規の位置にある前記遊技釘を前記遊技釘挿通部に挿通した際に前記当接部が前記入賞口に当接すべき位置、を表す当接位置指示部
を備えたことを特徴とするスペーサー。
【請求項４】
請求項１または２に記載のスペーサーにおいて、
当該スペーサーが、前記入賞口の前記遊技盤に平行な断面が略Ｕ型または略凵型となっている弾球遊技機に用いられるものであり、
当該スペーサーの下端に少なくとも１個の窪みが形成されており、該窪みの底が前記入賞口の上端に当接する前記当接部となっていることを特徴とするスペーサー。
【請求項５】
略円柱状の胴部と、該胴部よりも大径の円形の頭部とを有する複数の遊技釘が遊技盤上に植設され、該遊技盤に形成された入賞口に遊技球が入賞すると賞球を払い出す弾球遊技機に用いられるスペーサーであって、
前記入賞口の一部に当接される当接部と、
該当接部から形成され、前記釘の胴部の直径に略等しい幅のスリットである第２胴部挿通部と、
前記当接部を前記入賞口の一部に当接させた際の、前記第２胴部挿通部に挿通された前記遊技釘の頭部の正規位置を表す第２頭部位置指示部と
を備えたことを特徴とするスペーサー。
【請求項６】
請求項５に記載のスペーサーにおいて、
前記当接部が、該当接部に当接される前記入賞口の部位よりも大きく、
正規位置にある前記遊技釘を前記第２胴部挿通部に挿通した際に前記当接部が前記入賞口に当接すべき位置、を表す当接位置指示部
を備えたことを特徴とするスペーサー。  
【請求項７】
略円柱状の胴部と、該胴部よりも大径の円形の頭部とを有する複数の遊技釘が遊技盤上に植設され、該遊技盤に形成された入賞口に遊技球が入賞すると賞球を払い出す弾球遊技機に用いられるスペーサーであって、
当該スペーサーの縁から形成された複数のスリットであって、何れもその幅が前記釘の胴部の直径に略等しい第３胴部挿通部と、
複数の前記第３胴部挿通部の奥に、正規位置にある同数の前記遊技釘の胴部をそれぞれ当接させた際に、前記入賞口の位置を表す入賞口位置指示部と
を備えたことを特徴とするスペーサー。
【発明の詳細な説明】
【技術分野】
【０００１】
本明細書は、弾球遊技機（パチンコ遊技機、パチンコ機とも呼ばれる）に用いられ、該弾球遊技機の遊技盤に植設されている遊技釘と入賞口の相対位置を規定するスペーサーに関する。
【背景技術】
【０００２】
一般的に、弾球遊技機は、複数の遊技釘を植設した遊技盤を備える。遊技盤における遊技釘の状態（例えば、植設位置、傾斜方向および傾斜角度）は、遊技盤に打ち出された遊技機球の動きに影響を与える。
【０００３】
特許文献１には、基準位置にある遊技釘を撮影した基準画像と、検査対象の遊技釘を撮影した比較画像とを比較することによって、遊技盤における遊技釘の状態を検査する技術について開示されている。
【先行技術文献】
【特許文献】
【０００４】
【特許文献１】特開２００４−１５９８１７号公報
【発明の概要】
【発明が解決しようとする課題】
【０００５】
弾球遊技機における遊技釘の検査において、検査の容易化を図る観点から改善する余地があった。
【課題を解決するための手段】
【０００６】
係る課題に鑑みなされた請求項１に記載の本発明は、複数の遊技釘が遊技盤上に植設され、該遊技盤に形成された入賞口に遊技球が入賞すると賞球を払い出す弾球遊技機に用いられるスペーサーであって、前記入賞口の一部に当接される当接部と、該当接部に前記入賞口の一部を当接させた際に、前記複数の遊技釘の内の少なくとも１本が位置すべき箇所に形成された貫通孔であり、該少なくとも１本の遊技釘を挿通可能な遊技釘挿通部とを備えたことを特徴とするスペーサーをその要旨とする。
【０００７】
請求項２に記載の本発明は、請求項１に記載のスペーサーにおいて、当該スペーサーが、略円柱状の胴部と、該胴部よりも大径の円形の頭部とを有する複数の前記遊技釘を遊技盤上に植設した弾球遊技機に用いられるものであり、前記遊技釘挿通部が、前記頭部が通る貫通孔である頭部挿通部と、該頭部挿通部を通った前記遊技釘の前記胴部を位置させることが可能なスリット状の貫通孔であり、幅が前記胴部の直径に略等しい第１胴部挿通部と、前記当接部を前記入賞口の一部に当接させた際の、前記第１胴部挿通部に挿通された前記遊技釘の頭部の正規位置を表す第１頭部位置指示部とを備え、前記当接部を前記入賞口の一部に当接させると、前記第１胴部挿通部に、正規の位置にある前記遊技釘の胴部が位置することを特徴とする。
【０００８】
ここで、第１頭部位置指示部が「遊技釘の頭部の正規位置を表す」とは、３次元座標における頭部の正しい位置を特定可能に示すという意味に限らない。例えば第１頭部位置指示部を、前記座標の一成分だけを示すものとしてもよいし、前記正規位置を指し示す矢印やマークとしてもよい。
【０００９】
請求項３に記載の本発明は、請求項１または２に記載のスペーサーにおいて、前記当接部が、該当接部に当接される前記入賞口の部位よりも大きく、正規の位置にある前記遊技釘を前記遊技釘挿通部に挿通した際に前記当接部が前記入賞口に当接すべき位置、を表す当接位置指示部を備えたことを特徴とする。
当接位置指示部としては、当該スペーサーの当接部に印刷されたマーク、該当接部に貼付されたシール、該当接部に形成されたレリーフ状の印、該当接部に形成された孔等を例示できる。
【００１０】
請求項４に記載の本発明は、請求項１または２に記載のスペーサーにおいて、当該スペーサーが、前記入賞口の前記遊技盤に平行な断面が略Ｕ型または略凵型となっている弾球遊技機に用いられるものであり、当該スペーサーの下端に少なくとも１個の窪みが形成されており、該窪みの底が前記入賞口の上端に当接する前記当接部となっていることを特徴とする。
【００１１】
ここで入賞口の「断面が略Ｕ型または略凵型」とは、遊技者から見て、遊技球が入りこむ箇所を挟んで左右両側に壁があり、該壁の上端の高さが同じ形状を指している。従って、これら両壁の更に左右外側や、底部の下方、或いは手前側に意匠や強度確保等を目的とする部材を備えた入賞口も含まれる。また、入球を妨げない形状のリブを入口内に備えることにより、位置によっては前記断面の形状がШ型となる入賞口も含まれる。
【００１２】
請求項５に記載の本発明は、略円柱状の胴部と、該胴部よりも大径の円形の頭部とを有する複数の遊技釘が遊技盤上に植設され、該遊技盤に形成された入賞口に遊技球が入賞すると賞球を払い出す弾球遊技機に用いられるスペーサーであって、前記入賞口の一部に当接される当接部と、該当接部から形成され、前記釘の胴部の直径に略等しい幅のスリットである第２胴部挿通部と、前記当接部を前記入賞口の一部に当接させた際の、前記第２胴部挿通部に挿通された前記遊技釘の頭部の正規位置を表す第２頭部位置指示部とを備えたことを特徴とするスペーサーをその要旨とする。
ここで第２頭部位置指示部自体は第１頭部位置指示部と同じもので構わない（後述する第３頭部位置指示部も同様）。
【００１３】
請求項６に記載の本発明は、請求項５に記載のスペーサーにおいて、前記当接部が、該当接部に当接される前記入賞口の部位よりも大きく、正規位置にある前記遊技釘を前記第２胴部挿通部に挿通した際に前記当接部が前記入賞口に当接すべき位置、を表す当接位置指示部を備えたことを特徴とする。
【００１４】
請求項７に記載の本発明は、略円柱状の胴部と、該胴部よりも大径の円形の頭部とを有する複数の遊技釘が遊技盤上に植設され、該遊技盤に形成された入賞口に遊技球が入賞すると賞球を払い出す弾球遊技機に用いられるスペーサーであって、当該スペーサーの縁から形成された複数のスリットであって、何れもその幅が前記釘の胴部の直径に略等しい第３胴部挿通部と、複数の前記第３胴部挿通部の奥に、正規位置にある同数の前記遊技釘の胴部をそれぞれ当接させた際に、前記入賞口の位置を表す入賞口位置指示部とを備えたことを特徴とするスペーサーをその要旨とする。
【発明の効果】
【００１５】
請求項１に記載のスペーサーによれば、当接部を入賞口に当接させると遊技釘挿通部が遊技釘の位置すべき箇所に形成されているので、入賞口に対して遊技釘が正しい位置にあるか否かを容易に判定できる。なお、入賞口は遊技盤に固定された比較的堅牢な構造物であるのに対し、遊技釘は曲がったり、全体が傾いたりする可能性がある。従って、入賞口に対して遊技釘が正しい位置にないとすれば、その原因は殆どの場合、遊技釘にある。そして本発明のスペーサーでは、当接部を入賞口に当接させ、遊技釘を遊技釘挿通部に挿通させるので、スペーサーを正面から見なくても遊技釘が正しい位置にあるか否かを判定できる。そして弾球遊技機の出荷時に本発明のスペーサーを付けることにより、弾球遊技機の遊技釘が正しい位置にあることを納入先に保証することができる。そして遊技時には、遊技釘挿通部への遊技釘の挿通を解き、本発明のスペーサーを取り外せばよく、遊技の支障になることはない。なお、請求項２の「正規位置」に関して前述したように、遊技釘の「位置すべき箇所」についても、３次元座標における遊技釘の正しい位置という意味に限らない。すなわち、前記座標の一成分だけであってもよいし、請求項３に関して後述するように、所定の直線から遊技釘までの距離であってもよい。
【００１６】
請求項２に記載のスペーサーによれば、第１胴部挿通部に遊技釘の胴部を挿通させたまま、当該スペーサーを第１胴部挿通部に沿って動かすことができる。これにより、スペーサーの取り付け（装着ともいう）、取り外しを容易に行なうことができる。これの具体例を示すために、入賞口の前方（遊技者から見て手前側）に入賞口よりも大きな飾り板（後述）を設けた弾球遊技機に対して、頭部挿通部・第１胴部挿通部の区別がない円形の貫通孔である遊技釘挿通部を形成したスペーサーを取り付ける場合を考える。この場合、遊技釘挿通部と遊技釘の遊技盤に平行な方向に沿った位置を合わせて、前方からスペーサーを押し込むことになるが、飾り板の形状次第では飾り板が押し込みの障害となる可能性がある。この点、請求項２に記載のスペーサーによれば、当該スペーサーが飾り板と干渉しない位置に頭部挿通部を形成しておけば、頭部挿通部と遊技釘を位置を合わせて、前方からスペーサーを押し込み、第１胴部挿通部に沿って正規位置までスペーサーを動かせばよい。これを換言すると、当接部が入賞口に当接した状態において、第１胴部挿通部に沿った位置ずれが遊技釘に存在しても、当該スペーサーを装着できる可能性がある。該位置ずれが存在する場合には、第１頭部位置指示部が表す位置に、遊技釘の頭部が位置しないので、位置ずれの存在も容易に知ることができる。
【００１７】
ところで、入賞口が請求項４に記載のように、その断面が略Ｕ型または略凵型となっている場合は、当接部を一直線状の縁として構成することができる。そして１本の遊技釘が、正規位置にあるか否かを検査するため（又は正規位置にあることを保証するため。以下「検査」で代表）に１個の遊技釘挿通部が本発明のスペーサーに形成されているとする。該スペーサーを装着した結果、遊技釘挿通部に遊技釘が挿通された状態で、当接部がぴったりと入賞口の上端に接した場合、該遊技釘と入賞口の距離（正確には、入賞口の２個の上端を結んだ直線との距離）は正しいことになる。但し、遊技釘が前記上端を結んだ直線と平行な方向に僅かにズレている場合、このスペーサーでこのズレを発見するのは困難である。遊技釘挿通部を複数有するスペーサや、入賞口の上端が一直線上に並んでいない弾球遊技機に使用する場合においても、同様の課題が発生しうる。そこで請求項３に記載のスペーサーでは、当接部が、該当接部に当接される前記入賞口の部位よりも大きく構成されており、正規の位置にある遊技釘を遊技釘挿通部に挿通した際に当接部が入賞口に当接すべき位置、を表す当接位置指示部を備えている。該スペーサーによれば、前記ズレが発生した場合には、当接位置指示部が入賞口に当接すべき位置からずれた位置を指すので、容易に前記ズレを発見することができる。
【００１８】
請求項４に記載のスペーサーは、入賞口の前記断面が略Ｕ型または略凵型となっている弾球遊技機に用いられるもので、当該スペーサーの下端に少なくとも１個の窪みが形成されており、該窪みの底が入賞口の上端にそれぞれ当接する当接部となっている。これは窪みが請求項３に記載の当接位置指示部に近い作用をする構成である。従って、前記ズレが発生した場合には、窪み内で入賞口の上端の位置がズレるため、発生した前記ズレを発見し易い。なお、窪みを２個とし、各窪みの幅を、入賞口の２個の上端の幅と同じに（正確には僅かに大きく）し、各窪みがそれぞれ対応する上端に入る構成とすると、前記ズレが生じた場合にはスペーサーを入賞口に当接させることができず、また遊技釘挿通部に遊技釘を挿通させること自体ができなくなる可能性も高い。この態様においては、スペーサーを弾球遊技機に装着できるか否かにより、前記ズレが生じていないか否かを認識可能な構成となる。
【００１９】
請求項５に記載のスペーサーは、請求項２に記載のスペーサーに比べ、頭部挿通部を構成要件としない点と、第１胴部挿通部に代えて第２胴部挿通部を構成要件としている点が異なる。なお、前述のように第１頭部位置指示部と第２頭部位置指示部は関連する胴部挿通部が異なるだけで、実質的に同じものである。第１胴部挿通部と第２胴部挿通部の違いは、前者が当該スペーサーに形成された貫通孔であるのに対し、後者が当接部から形成された切欠き（請求の範囲では「スリット」と表現）である点にある。従って、遊技釘の胴部を胴部挿通部に位置させるためには、第１胴部挿通部へは、まず頭部挿通部に遊技釘を挿通させてから移動する必要があるのに対し、第２胴部挿通部は、当接部から直接、胴部を移動させることができる。このため、請求項２に記載のスペーサーが２個の遊技釘挿通部を備えており、該各遊技釘挿通部に挿通される２本の遊技釘がハの字型の姿勢となっている場合、装着できない可能性が高いのに対し、請求項５に記載のスペーサーは、当接部に形成される第２胴部挿通部の入口を、遊技釘の姿勢（前記例ではハの字型。詳しくは後述）に合わせることにより、スペーサーを装着することが可能となる。
【００２０】
請求項６に記載のスペーサーは、請求項３の構成要件を請求項５に記載のスペーサーに適用したものである。従って、請求項３の効果において説明した前記ズレが発生した場合には、当接位置指示部が入賞口に当接すべき位置とは異なる位置を指すので、容易に前記ズレを発見することができる。
【００２１】
請求項７に記載のスペーサーは、請求項５に記載のスペーサーに比べ、第２頭部位置指示部を構成要件としない点と、第２胴部挿通部に代えて第３胴部挿通部を構成要件としている点と、当接部に代えて入賞口位置指示部を構成要件としている点が異なる。
第２胴部挿通部と第３胴部挿通部の違いは、まず第１に前者は少なくとも１個存在すればよいのに対して、後者は複数存在する必要があることにある。そして第２に、前者はスリット状の第２胴部挿通部のいずれかに胴部の正規位置が存在するのに対して、後者は胴部の正規位置が第３胴部挿通部の最も奥に限定される点である。このように請求項７に記載のスペーサーでは胴部の正規位置が比較的分かり易いので、第２頭部位置指示部を構成要件としていない。当接部と入賞口位置指示部の違いは、前者は入賞口の少なくとも一部に当接する必要があるのに対して、後者は態様によっては入賞口に当接する必要がない点にある（もちろん当接しても良い）。
【００２２】
以上のように構成された請求項７に記載のスペーサーによれば、胴部を第３胴部挿通部の最も奥に位置させた際に、入賞口位置指示部が正しく入賞口の位置を表しているか否かを判定すれば、遊技釘が正し位置にあるか否かを判定することができる。
【図面の簡単な説明】
【００２３】
【図１】パチンコ機の構成を示す正面図である。
【図２】パチンコ機の構成を示す背面図である。
【図３】パチンコ機の遊技盤の構成を示す正面図である。
【図４】遊技盤における遊技釘の配置を示す拡大図である。
【図５】第１実施例のスペーサーがパチンコ機に装着された様子を示す説明図である。
【図６】第１実施例のスペーサー及び該スペーサーにより遊技釘が正規位置に存在するか否かを判定する様子を示す説明図である。
【図７】第２〜第５実施例のスペーサーの説明図である。
【図８】第６実施例のスペーサーの説明図である。
【図９】第６実施例のスペーサー及びその変形例の説明図である。
【図１０】第７実施例のスペーサーの説明図である。
【図１１】第８実施例のスペーサーの説明図である。
【図１２】第９実施例のスペーサーの説明図である。
【図１３】（ａ）〜（ｃ）は第９実施例のスペーサーの変形例、（ｄ）は第５実施例のスペーサーの変形例を示す説明図である。
【発明を実施するための形態】
【００２４】
次に、本発明の実施例等により発明の実施の形態を説明する。なお、本発明は下記の実施例等に限定されるものではなく、本発明の要旨を逸脱しない範囲でさまざまに実施できることは言うまでもない。
【００２５】
［第１実施例］
図１は、パチンコ機１０の構成を示す正面図である。図１には、他の各図に共通するＸＹＺ軸が図示されている。図２は、パチンコ機１０の構成を示す背面図である。図３は、パチンコ機１０の遊技盤４０の構成を示す正面図である。パチンコ機１０は、外枠２０と、内枠３０と、遊技盤４０と、前枠５０とを備える。本実施形態では、パチンコ機１０は、プリペイドカードに対応したパチンコ遊技機（いわゆるＣＲ機）であり、更にプリペイドカードユニット６０を備える。プリペイドカードユニット６０は、遊技球の貸出料金を精算するためのプリペイドカードに対する読み書きを処理する。
【００２６】
パチンコ機１０の外枠２０は、縦長の矩形状を成す枠である。外枠２０は、パチンコ機１０を設置する設備に固定される。外枠２０は、パチンコ機１０の上面、底面および左右側面における外郭を構成する。外枠２０は、その内側に内枠３０を保持する。外枠２０は、内枠３０を外枠２０に対して開閉可能に保持するヒンジ２１，２２を備える。本実施形態では、パチンコ機１０の正面から見て、ヒンジ２１は左下側に設けられ、ヒンジ２２は、左上側に設けられている。
【００２７】
パチンコ機１０の内枠３０は、外枠２０の内側に嵌る縦長の矩形状を成す枠である。内枠３０は、外枠２０の内側に開閉可能に保持される。内枠３０は、その内側に遊技盤４０を保持する。内枠３０は、正面側において前枠５０を内枠３０に対して開閉可能に保持する。内枠３０は、背面側に遊技球タンク３１と、タンクレール３２と、払出装置３３と、端子台３５を備える。遊技球タンク３１は、パチンコ機１０の外部から補給される遊技球を保持する。タンクレール３２は、遊技球タンク３１から払出装置３３へと遊技球を流下させる。払出装置３３は、制御信号に応じて遊技球を払い出す。端子台３５は、遊技状態を示す信号をパチンコ機１０の外部へと出力する外部接続端子を構成する。
【００２８】
パチンコ機１０は、主制御装置８０と、払出制御装置８１と、演出図柄制御装置８２と、電源基板８５とを備える。主制御装置８０は、パチンコ機１０における遊技進行を制御する。払出制御装置８１は、払出装置３３による遊技球の払い出しを制御する。演出図柄制御装置８２は、遊技盤４０において表示される演出図柄を制御する。電源基板８５は、パチンコ機１０の各部に電力を供給する。主制御装置８０および演出図柄制御装置８２は、遊技盤４０の背面側に設けられている。払出制御装置８１および電源基板８５は、内枠３０の背面側に設けられている。
【００２９】
パチンコ機１０の前枠５０は、パチンコ機１０の正面側を構成する縦長の矩形状を成す枠である。前枠５０は、内枠３０の正面側に開閉可能に保持される。前枠５０は、遊技盤４０の正面側に開口を形成する開口部５５を備える。開口部５５は、開口の上端を形成する開口上端部５５Ｕと、開口の下端を形成する開口下端部５５Ｄと、開口の右側端を形成する開口右側端部５５Ｒと、開口の左側端を形成する開口左側端部５５Ｌとを備える。前枠５０は、開口部５５によって形成される開口に嵌め込まれた透明板５１を備える。これによって、パチンコ機１０の遊技者は、透明板５１を通じて遊技盤４０を見ることができる。本実施形態では、透明板５１は、板ガラスである。
【００３０】
前枠５０は、更に、スピーカ５２と、装飾ランプ５３と、発射ハンドル６１と、上皿６２と、下皿６３とを備える。スピーカ５２は、遊技進行に応じて音を出力する。装飾ランプ５３は、遊技進行に応じて発光する。発射ハンドル６１は、遊技球を遊技盤４０へと発射する操作入力を遊技者から受け付ける。上皿６２は、払出装置３３から払い出された遊技球を受け入れるとともに、遊技盤４０へと発射される遊技球を保持する。下皿６３は、上皿６２から溢れた遊技球を保持する。
【００３１】
パチンコ機１０の遊技盤４０は、盤面４１と、ガイドレール４２ａ，４２ｂと、複数の遊技釘４３と、センターケース４４と、普通入賞口４５ａ，４５ｂ，４５ｃ，４５ｄと、普通図柄作動ゲート４６と、第１始動口４７と、第２始動口４８と、大入賞口４９とを備える。遊技盤４０は、更に、普通図柄表示装置７１と、普通図柄保留数表示装置７２と、第１特別図柄表示装置７３と、第１特別図柄保留数表示装置７４と、第２特別図柄表示装置７５と、第２特別図柄保留数表示装置７６と、演出図柄表示装置７８とを備える。
【００３２】
遊技盤４０の盤面４１は、パチンコ機１０の正面を向いた面である。遊技盤４０のガイドレール４２ａ，４２ｂは、盤面４１の中央を円形状に取り囲むことによって、略円形を成す遊技領域ＧＡを形成する。遊技盤４０における複数の遊技釘４３は、盤面４１に植設され、遊技領域ＧＡを流れる遊技球の通路を形成する。複数の遊技釘４３は、回転部材を有する風車釘４３Ｗを含む。遊技釘４３の詳細については後述する。
【００３３】
遊技盤４０のセンターケース４４は、遊技領域ＧＡの中央部に設けられた部材である。センターケース４４は、遊技領域ＧＡを流れる遊技球の通路を形成する。センターケース４４の中央部には、演出図柄表示装置７８が設けられている。演出図柄表示装置７８は、遊技進行に応じた疑似演出として演出図柄を表示する。本実施形態では、演出図柄表示装置７８は、液晶表示装置である。
【００３４】
遊技盤４０の普通入賞口４５ａ，４５ｂ，４５ｃ，４５ｄは、遊技領域ＧＡの下方部に設けられ、遊技球を受け入れる入賞口である。遊技盤４０の普通図柄作動ゲート４６は、遊技領域ＧＡに設けられ、普通図柄表示装置７１を作動させる契機となる遊技球の通過を検知する。遊技盤４０の第１始動口４７は、遊技領域ＧＡに設けられ、第１特別図柄表示装置７３を作動させる契機となる遊技球の通過を検知する。遊技盤４０の第２始動口４８は、遊技領域ＧＡに設けられ、第２特別図柄表示装置７５を作動させる契機となる遊技球の通過を検知する。第２始動口４８は、普通図柄表示装置７１における図柄の表示結果に応じて、遊技球が入賞可能になる入賞口である。遊技盤４０の大入賞口４９は、第１特別図柄表示装置７３および第２特別図柄表示装置７５における図柄の表示結果に応じて、遊技球が入賞可能になる入賞口である。
【００３５】
図４は、遊技盤４０における遊技釘４３の配置を示す拡大図である。遊技盤４０における複数の遊技釘４３は、最も近くに位置する他の遊技釘４３から「遊技球が通過可能な間隔」を置いて遊技盤４０に植設された遊技釘４３Ｓを含む。遊技盤４０における複数の遊技釘４３は、「遊技球が通過できない間隔」で他の遊技釘４３と列４３Ｌを成して遊技盤４０に植設された遊技釘４３を含む。遊技盤４０において列４３Ｌを成す複数の遊技釘４３は、列４３Ｌの端部に位置する遊技釘４３Ｔと、列４３Ｌの屈曲部に位置する遊技釘４３Ｃとを含む。
【００３６】
図５に、スペーサー１１を第１始動口４７の上に装着した様子を示す。図５（ａ）は、正面から見たスペーサー１１及び第１始動口４７の様子を拡大した図である。図５（ｂ）は、スペーサー１１及び第１始動口４７の右側面図である。なお、遊技盤４０を一部断面にしている。本図によく示されているようにスペーサー１１は板状部材であり、第１始動口４７の先端（遊技者から見て手前側）付近の上部に設置される。第１始動口４７の先端には意匠目的の飾り板１２が取り付けられている。飾り板１２を第１始動口４７から取り外し、正面から見た様子を図５（ｃ）に示す。本図に示すように第１始動口４７は断面がＵ字型をしており、その上端４７ａにスペーサー１１の下端１１ａが当接している。スペーサー１１には遊技釘４３Ｓの頭部４３ｈが通るための貫通孔１３が２個形成されている。スペーサー１１は金属製でもプラスチック製でもよいが、容易に撓まない程度の強度があることが望ましい。プラスチック製とする場合には、アクリル樹脂、ポリカーボネイト、塩化ビニル等を例示できる。
【００３７】
遊技釘４３Ｓは、遊技盤４０に対して略垂直に植設されており、遊技者から見て円形の頭部４３ｈと、頭部４３ｈよりも小径の胴部４３ｂと、先細り形状を成し、使用時には遊技盤４０に突き刺さり、胴部４３ｂの一部と共に遊技盤４０内に埋め込まれる先端部４３ｔとを有する。
【００３８】
図６（ａ）はスペーサー１１のみを取り出した様子である。本図に示すように貫通孔１３は、円形の頭部挿通部１４と、頭部挿通部１４よりも小径の胴部挿通部１５とからなる。頭部挿通部１４の直径は遊技釘４３Ｓの頭部４３ｈの直径よりやや大きく、胴部挿通部１５の直径は遊技釘４３Ｓの胴部４３ｂの直径より僅かに大きくされている。なお、符号１７はスペーサー１１をパチンコ機１０に脱着する際に掴むツマミである。胴部挿通部１５は破線１５ａにて示すように、スリット状の孔の一部とみなすこともできる。そして該スリット状の孔の幅ｄ（図６（ｂ）参照）が遊技釘４３Ｓの胴部４３ｂの直径より僅かに大きく構成されている。そして２個の胴部挿通部１５の幅方向（Ｘ軸方向）の中心間の距離ｗが、正規位置にある２本の遊技釘４３Ｓ間の距離に対応する。なお、２本の遊技釘４３Ｓ間の距離（正確には２本の胴部の内法の距離）が第１始動口４７の入口の大きさとされている。
【００３９】
下端１１ａが第１始動口４７の上端に当接すると、遊技釘４３Ｓが正規位置にあれば、その胴部４３ｂは胴部挿通部１５に位置する。該胴部４３ｂの中心から下端１１ａまでの距離Ｌが、正規位置にある遊技釘４３Ｓから図示しない第１始動口４７の上端４７ａまでの距離に対応する。下端１１ａが第１始動口４７の上端に当接した際に正面から見て遊技釘４３Ｓの頭部４３ｈが位置する箇所を頭部位置指示部１６が示している。頭部位置指示部１６はスペーサー１１の表面に印刷された円弧状の破線で、その直径は遊技釘４３Ｓの頭部４３ｈとほぼ同じにされている。
【００４０】
スペーサー１１をパチンコ機１０に装着するには、正面から見て２個の頭部挿通部１４と、２本の遊技釘４３Ｓの頭部の位置を揃え、スペーサー１１を奥方向（Ｚ軸に平行な方向）へと動かし、２本の遊技釘４３を２個の頭部挿通部１４にそれぞれ挿通させる。この時、飾り板１２が邪魔になるようであれば、先にスペーサー１１の下端１１ａを飾り板１２よりも奥に位置させても良い。２本の遊技釘４３を２個の頭部挿通部１４に挿通させたら、スペーサー１１全体を下方へずらし、２本の遊技釘４３の胴部４３ｂを２個の胴部挿通部１５に位置させる。この時、２本の遊技釘４３がいずれも正規位置にあれば、スペーサー１１の下端１１ａが第１始動口４７の上端４７ａに当接する。これを正面から見ると、頭部位置指示部１６は遊技釘４３Ｓの頭部４３ｈと重なってほとんど見えない状態となる（図５（ａ））
【００４１】
一方、２本の遊技釘４３Ｓが正規位置よりもやや低い位置にある場合に、スペーサー１１を装着して正面から見ると、遊技釘４３Ｓの頭部４３ｈの上方から頭部位置指示部１６がはみ出た状態となる（図６（ｃ））。また、２本の遊技釘４３Ｓが正規位置よりもやや高い位置にある場合には、スペーサー１１全体が２本の遊技釘４３Ｓに持ち上げられる形となり、スペーサー１１の下端１１ａを第１始動口４７の上端４７ａに当接させることができない（図６（ｄ））。なお、図６（ｃ）、図６（ｄ）では図示の便宜上、飾り板１２を取り除いている。
【００４２】
２本の遊技釘４３Ｓの内の一方のみが正規位置よりも高い場合（或いは低い場合）は、２本の遊技釘４３Ｓの胴部４３ｂを胴部挿通部１５に位置させることができず、図６（ｃ）に近い状態になると考えられる。２本の遊技釘４３Ｓ間の位置ずれが大きい場合には、頭部４３ｈを頭部挿通部１４に挿通させることすらできず、スペーサー１１をパチンコ機１０に装着できない可能性が高い。また、２本の遊技釘４３Ｓの間隔が広すぎる（或いは狭すぎる）場合にも、胴部４３ｂを胴部挿通部１５に位置させることができず、図６（ｃ）に近い状態になると考えられる。
【００４３】
このようなスペーサー１１によれば、スペーサー１１をパチンコ機１０に装着できない場合には、遊技釘４３Ｓが正規位置にないと判定することができる。そしてスペーサー１１をパチンコ機１０に装着できた際には、スペーサー１１の下端１１ａが第１始動口４７の上端４７ａに接触しているか否か、及び正面から見て遊技釘４３Ｓの頭部４３ｈの位置が頭部位置指示部１６からずれていないかを見ることにより、遊技釘４３Ｓが正規位置にあるか否かを判定することができる。そしてパチンコ機１０を出荷する際にスペーサー１１を第１始動口４７の上部に装着しておくことにより、２本の遊技釘４３が正規位置にあるか否かを容易に判定することができる。また、輸送を経て納品されたパチンコ機１０の遊技釘４３Sの位置や姿勢が適正であることを確認することもできる。更に、２本の遊技釘４３Ｓは、各胴部４３ｂの内法の距離にて第１始動口４７の入口の大きさを規定するものであるため、第１始動口４７の入口の大きさが適正であることも容易に確認できることになる。
【００４４】
ここで本実施例の構成と、本発明の構成要件との対応関係を示す。貫通孔１３が本発明の「遊技釘挿通部」に相当し、スペーサー１１の下端１１ａが本発明の「当接部」に相当し、第１始動口４７が本発明の「入賞口」に相当し、胴部挿通部１５が本発明の「第１胴部挿通部」に相当する。
【００４５】
［第２実施例］
本発明の第２実施例について図７（ａ）を用いて説明する。図７（ａ）は本発明の第２実施例に係るスペーサー１１の正面図である。第１実施例に係るスペーサー１１との違いは、胴部挿通部１５が上方向（Ｙ軸方向）に長いスリット状となっている点である。
【００４６】
第２実施例のスペーサー１１をパチンコ機１０に装着すると、２本の遊技釘４３Ｓが正規位置にある場合は、頭部位置指示部１６は遊技釘４３Ｓの頭部４３ｈと重なって殆ど見えない図５（ａ）に近い状態となる。図５（ａ）との違いは、遊技釘４３Ｓの上方から胴部挿通部１５の上部がはみ出て見える点である。２本の遊技釘４３Ｓが正規位置よりも低い位置にある場合は、遊技釘４３Ｓの上方から胴部挿通部１５の上部だけでなく、頭部位置指示部１６の一部（低さの程度によっては全部）がはみ出て見える。
【００４７】
２本の遊技釘４３Ｓが正規位置よりも高い位置にある場合は、図６（ｄ）とは異なり、胴部挿通部１５が上方向に長いことにより、下端１１ａが図示しない第１始動口４７の上端４７ａに当接する可能性が高い（但し高さの程度が大き過ぎる場合には、図６（ｄ）と同様、スペーサー１１が浮いた状態となる）。そして遊技釘４３Ｓの上方からはみ出て見える胴部挿通部１５が小さくなる（高さの程度によっては全く見えなくなる）。また、遊技釘４３Ｓの下方から頭部位置指示部１６の一部が見える。
【００４８】
また、胴部挿通部１５が第１実施例のスペーサー１１よりも上方向に長いため、２本の遊技釘４３Ｓの内の一方のみが正規位置よりも高い場合（或いは低い場合）にも、２本の遊技釘４３Ｓの胴部４３ｂを共に胴部挿通部１５に位置させることができる可能性が高い。その場合、スペーサー１１の下端１１ａを第１始動口４７の上端４７ａに当接させた状態で、頭部位置指示部１６に対し遊技釘４３Ｓの頭部４３ｈがズレているか否かを見ることにより、正規位置からのずれの有無やその程度を判定することができる。
【００４９】
［第３実施例］
本発明の第３実施例について図７（ｂ）を用いて説明する。図７（ｂ）は本発明の第３実施例に係るスペーサー１１の正面図である。第１実施例に係るスペーサー１１との違いは、ツマミ１７がスペーサー１１の上部に１個あるのではなく、スペーサー１１の左右に張り出して２個形成されており、上下方向（Ｙ軸に平行な方向）の寸法が第１実施例に係るスペーサー１１に比べ小さくなっている点である。
【００５０】
図４に示した遊技盤４０では遊技釘４３Ｓの上方には遊技球の転動を妨げるものがないが、遊技機によっては普通図柄作動ゲート４６等を遊技釘４３Ｓの上方の、しかも近傍に配置したものもある。こうした遊技機では第１実施例に係るスペーサー１１のツマミ１７が装着の障害となったり、スペーサー１１の本体（ツマミ１７を除いた部分）が障害となる可能性もある。第３実施例に係るスペーサー１１のようにツマミ１７を左右に配置し、上下方向の寸法が小さくされていることにより、遊技釘４３Ｓの上方空間が狭いパチンコ機に対しても装着することが可能となる。
【００５１】
［第４実施例］
本発明の第４実施例について図７（ｃ）を用いて説明する。図７（ｃ）は本発明の第４実施例に係るスペーサー１１の正面図である。第１実施例に係るスペーサー１１との違いは、下端１１ａに、第１始動口４７の上端４７ａの位置を示すマーク１８，１８が形成されている点である。
【００５２】
前述したように、第１実施例に係るスペーサー１１を用いることにより、遊技釘４３Ｓが第１始動口４７の上端４７ａから上下いずれかの方向にズレていることや、２本の遊技釘４３Ｓの間隔が正規の値となっていないことを検出可能である。しかし、２本の遊技釘４３Ｓが横方向（Ｘ軸に平行な方向）にほぼ同量（「ほぼ」とは、２個の胴部４３ｂが共に対応する各胴部挿通部１５に挿通可能となる程度の誤差は許容するという意味）ズレている場合は、該ズレを第１実施例のスペーサー１１では検出することができない。これは第２、第３実施例のスペーサー１１も同様である。
【００５３】
この点、第４実施例に係るスペーサー１１によれば、第１始動口４７の上端４７ａの位置を示すマーク１８，１８が下端１１ａに形成されているので、２本の遊技釘４３Ｓが横方向にほぼ同量ズレた場合にも、該ズレを検出することができる。マーク１８，１８が本発明の「当接位置指示部」に相当する。なお、マーク１８，１８はスペーサー１１の下端１１ａまたはその近傍に印刷することにより形成しても良いし、同箇所に張り付けられたシールでもよいし、レーザーやエッチングなどにより表面加工を施すことにより形成しても良いし、或いはレリーフ状にスペーサー１１の表面に盛り上げられたものであってもよい。
【００５４】
［第５実施例］
本発明の第５実施例について図７（ｄ）を用いて説明する。図７（ｄ）は本発明の第５実施例に係るスペーサー１１の正面図である。本実施例のスペーサー１１は第４実施例に係るスペーサー１１に近いもので、違いは、マーク１８，１８に対応する箇所に凹部が形成されている点である。該スペーサー１１をパチンコ機１０に装着すると凹部の底面（位置的には上面）１９が第１始動口４７の上端４７ａに当接する。従って、第５実施例に係るスペーサー１１では、その下端１１ａの位置が第１〜第４実施例に係るスペーサー１１よりも凹部の深さの分だけ低くなっている。
【００５５】
このように構成された第５実施例に係るスペーサー１１によれば、第４実施例に係るスペーサー１１と同様の効果を奏する。なお、飾り板１２が第１始動口４７に設けられているパチンコ機１０においては、第４実施例に係るスペーサー１１のマーク１８，１８が見辛い可能性がある。その場合は、マーク１８，１８を上方に大きくしたり、上方から覗き込んでマーク１８，１８と第１始動口４７の上端４７ａの位置が一致しているかを判定することが考えられる。この点、第５実施例に係るスペーサー１１によれば、第１始動口４７の上端４７ａに凹部をはめ込む形態となっているため、飾り板１２が存在していても上方から覗き込むことなく、２本の遊技釘４３Ｓが横方向にほぼ同量ズレていないか否かを判定することができる。なお、第５実施例において本発明の「当接部」に相当するのは下端１１ａではなく底面１９となる。
【００５６】
［第６実施例］
本発明の第６実施例について図８〜９を用いて説明する。まず、図８（ａ）は本発明の第６実施例に係るスペーサー１１の正面図である。本実施例のスペーサー１１は第１〜第５実施例に係るスペーサー１１とは異なり、頭部挿通部１４を備えていない。そして２本のスリット２３がスペーサー１１の下端１１ａから形成されている。このように構成されたスペーサー１１によれば、スペーサー１１を遊技釘４３Ｓの前方からはめ込む必要が無く、遊技釘４３Ｓの上方から差し込めばよいので、飾り板１２が装着の障害となることがない。そしてスペーサー１１の下端１１ａを第１始動口４７の上端４７ａに当接させた際の遊技釘４３Ｓの頭部４３ｈの位置が、頭部位置指示部１６の位置からずれていないかを見ることにより、遊技釘４３Ｓが正規位置にあるか否かを判定することができる。なお、スリット２３は本発明の「第２胴部挿通部」に相当する。
【００５７】
そして、遊技釘４３Ｓの上方から差し込めば装着できるという特徴を生かすと、図８（ｂ）〜図８（ｃ）に示すようなスペーサー１１も構成できる。図８（ｂ）はそのスペーサー１１の正面図であり、図８（ｃ）は図８（ｂ）を下方から見た図である。このスペーサー１１は板状ではなく、ブロック状になっている。そして、２本の遊技釘４３Ｓが遊技盤４０に対して垂直ではなく、上方から見てハの字型（狭い側が遊技盤４０側）に開いた形状で植設されている。これに合わせ、スリット２３は図８（ｃ）に示すようなハの字型の溝状に形成されている。
【００５８】
図９（ａ）は、スペーサー１１を対応するパチンコ機に装着した様子を示す右側面図である。なお、遊技釘や第１始動口など第１実施例と同じ名称の構成については同じ符号を付している。また、２本の遊技釘４３Ｓの姿勢がハの字型となっているのは、上方または下方から見た場合であり、横方向から見ると水平に見えるものとする。本図に示すようにスペーサー１１の厚さは、遊技盤４０から露出している胴部４３ｂの長さよりやや薄くされている。これに反し、スペーサー１１が例えば板状になっていると、本来は図５（ｂ）に示したように遊技釘４３Ｓの頭部４３ｈ付近に装着すべきスペーサー１１を遊技釘４３Ｓの胴部４３ｂの中ほど等に無理やり装着して遊技釘４３Ｓの姿勢を変更してしまったり、或いは遊技釘４３Ｓの頭部４３ｈ付近に装着したスペーサー１１に迂闊に奥方向に力を加えて遊技釘４３Ｓの姿勢を変えてしまったりする恐れがある。
【００５９】
この点、第６実施例に係るスペーサー１１の厚さは、遊技盤４０から露出している胴部４３ｂの長さよりやや薄い程度の厚さを有しているので、本来装着すべき位置ではない箇所に装着したり、装着後に無理な力を加えたりして、遊技釘４３Ｓの姿勢を変更してしまう恐れが小さい。また板状のスペーサー１１に比べて厚いため比較的堅牢であり、装着操作などによりスペーサー１１自体が変形したり破損したりする可能性も小さい。
【００６０】
なお、第６実施例に係るスペーサー１１の１７は、頭部４３ｈ付近のみに設けられているが、厚さ方向（Ｚ軸に平行な方向）の全域にわたって形成しても良い。また、ツマミ１７を厚さ方向の略中央のみに形成しても良い。このようにすればスペーサー１１を脱着する際に、スペーサー１１を掴みやすく尚且つバランスもいい。
【００６１】
また、スリット２３を形成する深さを正規位置にある胴部４３ｂに対応する位置までにしてもよい（図９（ｂ））。この構成では、スペーサー１１を装着するスリット２３の上端に胴部４３ｂが当接し、遊技釘４３Ｓの胴部４３ｂが正規位置にあれば、スペーサー１１の下端１１ａが第１始動口４７の上端４７ａに当接することになる。遊技釘４３Ｓの胴部４３ｂが正規位置よりも高い位置にあれば、スペーサー１１の下端１１ａが第１始動口４７の上端４７ａに当接できず、第２実施例のスペーサー１１が図６（ａ）で浮いたような状態になったのと同様の状態になる。遊技釘４３Ｓの胴部４３ｂが正規位置よりも低い位置にあれば、遊技釘４３Ｓの頭部４３ｈの上から頭部位置指示部１６がはみ出たような状態になる。このように図９（ｂ）に示したスペーサー１１によっても、遊技釘４３Ｓが正規位置にあるか否かの判定を行なうことができる。もちろん、図８に示したスペーサー１１や図９（ｂ）に示したスペーサー１１に、第４実施例のスペーサー１１の様にマーク１８，１８を形成しても良いし、第５実施例のスペーサー１１の様に凹部を備えたものとしても良い。
【００６２】
［第７実施例］
本発明の第７実施例について図１０を用いて説明する。図１０（ａ）は本発明の第７実施例に係るスペーサー１１の正面図である。本実施例のスペーサー１１は図８（ａ）に示した第６実施例のスペーサー１１に似ているが、スリット２３の上端が胴部４３ｂの正規位置となっている点と、下端１１ａがより高い位置にある点が異なる。なお、下端１１ａが高い位置となっているのは２個のスリット２３に挟まれた部分のみであり、それ以外の部位２４は第６実施例のスペーサー１１と同じ高さ（Ｙ軸方向の位置）にされている。従って、第７実施例に係るスペーサー１１をパチンコ機１０に装着すると、遊技釘４３Ｓが正規位置にある場合、部位２４の高さが第１始動口４７の上端４７ａの高さと一致する。遊技釘４３Ｓが正規位置よりも高い位置にある場合は、例えば図１０（ｂ）のようになり、部位２４と上端４７ａの間に隙間ｇが空く。逆に遊技釘４３Ｓが正規位置よりも低い位置にある場合は、第１始動口４７の上端４７ａが２個の部位２４、２４間にめり込むような形になり、低さの程度が大きい場合は下端１１ａが第１始動口４７の上端４７ａに当接する。
【００６３】
このような第７実施例に係るスペーサー１１によっても、遊技釘４３Ｓが正規位置にあるか否かを、部位２４と第１始動口４７の上端４７ａの位置関係から判定することができる。なお、本実施例において下端１１ａは、第１始動口４７の上端４７ａに当接すべき箇所ではないため、本発明の「当接部」には相当しない。本実施例は当接部を備えない本発明の実施形態を示すものであり、部位２４が本発明の「入賞口位置指示部」に相当し、スリット２３が本発明の「第３胴部挿通部」に相当する。
【００６４】
［第８実施例］
本発明の第８実施例について図１１（ａ）、図１１（ｂ）を用いて説明する。図１１（ａ）は本発明の第８実施例に係るスペーサー１１の正面図である。本実施例のスペーサー１１は第１実施例のスペーサー１１を透明のプラスチック製の板状部材とし、２つの胴部挿通部１５間に横方向の縞模様２５を印刷したものである。なお、実際の縞模様２５は図１１（ａ）に示したものよりも狭い間隔で且つ多数形成されており、スペーサー１１の表裏両面に印刷されている。該スペーサー１１によれば、２本の遊技釘４３Ｓの間隔が正規位置よりも狭い場合にこれを容易に判定することができる。
【００６５】
図１１（ｂ）は、こうした場合にパチンコ機１０にスペーサー１１を装着した様子を示す平面図で、縞模様２５付近を拡大して示している。２本の遊技釘４３Ｓの間隔が正規位置よりも狭い場合にスペーサー１１を無理に装着すると、スペーサー１１が撓む。なお、図１１（ｂ）ではこの撓みを強調しており、縞模様２５の印刷も誇張して記している。スペーサー１１が撓むと、撓みの内側になった縞模様２５ａ、２５ｂの間隔よりも、撓みの内側になった縞模様２５ｃ、２５ｄの間隔の方が広くなる。このスペーサー１１を正面から見ると（矢印Ｖ）、左右方向（Ｘ軸方向）の中央付近では表裏の縞２５の位置はあまり変わらないが、該中央付近から左右に離れるほど、表裏の縞２５の位置が大きくずれる。これによりモアレが発生し、スペーサー１１が撓んでいること、すなわち２本の遊技釘４３Ｓの間隔が正規位置よりも狭いと判定することができる。また、スペーサー１１の撓みが不均一に発生する場合もあるが、その場合は不規則なモアレが発生するので、２本の遊技釘４３Ｓの間隔が正規位置よりも狭いと判定することができる。なお、装着の仕方等により、撓みの方向が逆になる場合もあるが、同様に判定することができる。
【００６６】
［第９実施例］
なお、第１始動口４７以外の入賞口を基準として、その近傍に植設された遊技釘４３の位置が正規位置にあるか否かを判定するスペーサーも考えられる。その一例を第９実施例として図１２に示す。図１２（ａ）は普通入賞口４５ｄ及びその周辺に植設された遊技釘４３Ｕ、４３Ｖ、４３Ｗ、４３Ｘ、４３Ｙを示す正面図である。図１２（ｂ）は本実施例に係るスペーサー１１の正面図である。本実施例のスペーサー１１は板状部材であり、その中央のやや左下に頭部挿通部１４が形成されている。なお、本スペーサー１１は胴部挿通部を備えていないため、頭部挿通部１４が本発明の「遊技釘挿通部」にも相当する。スペーサー１１の右上には円弧状の窪みである胴部当接部２６が形成されている。
【００６７】
スペーサー１１をパチンコ機１０に装着するには図１２（ｃ）、図１２（ｄ）のようにする。すなわち、まずスペーサー１１を所定角度（図１２（ｃ）では９０度）反時計回りに回転させ、頭部挿通部１４に遊技釘４３Ｕを挿通させる。なお、スペーサー１１を所定角度回転させないと、遊技釘４３Ｖや遊技釘４３ｗが障害となって装着が困難となる。次にスペーサー１１を時計回りに回転させ、胴部当接部２６を遊技釘４３Ｖの胴部４３ｂに当接させ、且つ下端１１ａを普通入賞口４５ｄの上端４５ａに当接させる（図１２（ｄ））。
【００６８】
この時、正面から見て遊技釘４３Ｕの頭部４３ｈの周囲から、頭部挿通部１４がはみ出ていれば、遊技釘４３Ｕが正規位置に無いと判定できる。また、遊技釘４３Ｕの頭部４３ｈと頭部挿通部１４がぴったり重なっていれば、遊技釘４３Ｕと遊技釘４３Ｖ間の距離が適正であると判定することもできる。なお、遊技釘４３Ｕと遊技釘４３Ｖ間の距離（正確には両遊技釘の胴部の内法の距離）が普通入賞口４５ｄの入口の大きさとされる。従って、スペーサー１１によれば、普通入賞口４５ｄの入口の大きさが適正であることも容易に確認できる。
【００６９】
図１２のスペーサー１１の変形例を図１３（ａ）に示す。図１３（ａ）のスペーサー１１では、その下端１１ａに段差２７を有している。スペーサー１１をパチンコ機１０に装着する手順は、図１２に示したスペーサー１１と同様であり、まず図１３（ｂ）に示すようにスペーサー１１を所定角度（本図では９０度）反時計回りに回転させ、頭部挿通部１４に遊技釘４３Ｕを挿通させる。次にスペーサー１１を時計回りに回転させ、胴部当接部２６を遊技釘４３Ｖの胴部４３ｂに当接させ、且つ段差２７を普通入賞口４５ｄの左側の上端４５ａ内側に当接させる（図１３（ｃ））。
【００７０】
これは、下端１１ａの位置が図１２に示したスペーサー１１よりも低い位置にあることを意味しており、上下方向の寸法が図１３に示したスペーサー１１の方が大きいことになる。このようなスペーサー１１が、図１３（ｂ）の状態から図１３（ｃ）の状態へと、遊技釘４３Ｕを頭部挿通部１４に挿通させたまま回転させることは困難なようにも見えるが、頭部挿通部１４と遊技釘４３Ｓの胴部４３ｈの間には空隙があるので、スペーサー１１を上下左右に適宜動かすことにより、図１３（ｂ）の状態から図１３（ｃ）の状態にすることは可能である。この空隙に関しては図１２に示したスペーサー１１も同様である。しかしこれは図１２のスペーサー１１が、図１２（ｄ）の状態においても上下左右に若干、動かすことが可能であることを意味しており、下端１１ａの上端４５ａへの当接と、遊技釘４３Ｖの胴部当接部２６への当接のみでは、スペーサー１１を定位置に位置決めするのは心もとない面もある。
【００７１】
この点、図１３に示したスペーサー１１によれば、段差２７を普通入賞口４５ｄの左側の上端４５ａ内側に当接させることにより、スペーサー１１の左右方向の位置を定めることができるので、スペーサー１１をより確実に定位置に位置決めすることができる。なお、段差２７に代えて図１２のスペーサー１１の下端１１ａに突起を設けても良い。なお、段差２７に代えて第５実施例のスペーサー１１の凹部に類する窪みを下端１１ａに１個形成し、普通入賞口４５ｄの左側の上端４５ａにはめ込む構成とすることも考えられる。因みに遊技釘４３Uが存在しない場合に普通入賞口４５ｄの入口の大きさは、普通入賞口４５ｄの左側の上端と遊技釘４３V間の距離（より正確には両者の内法の距離）とされる。こうした普通入賞口４５ｄに対しても、図１３に示したスペーサー１１によれば、左側の上端と遊技釘４３V間の距離が適正であることを容易に確認することができる。なお、こうした普通入賞口４５ｄに対して前記確認をする場合は、頭部挿通部１４がないスペーサーを用いてもよい。
【００７２】
また、図１２に示したスペーサー１１の貫通孔１３を、図６に示したスペーサー１１のように、頭部挿通部１４の上方に胴部挿通部１５を備えたものとしてもよい。このスペーサー１１は次の様にしてパチンコ機１０に装着する。まず図１２（ｃ）に示すようにスペーサー１１を所定角度、反時計回りに回転させ、頭部挿通部１４に遊技釘４３Ｕを挿通させる。次にスペーサー１１を右に動かし、遊技釘４３Ｕの胴部を胴部挿通部１５に当接させる。そして該当接させたまま、スペーサー１１を時計回りに回転させ、胴部当接部２６を遊技釘４３Ｖの胴部４３ｂに当接させ、且つ段差２７を普通入賞口４５ｄの左側の上端４５ａ内側に当接させる（図１２（ｄ））。こうすると、前記回転の途中、遊技釘４３Uの胴部の周りで頭部挿通部１４が（つまりスペーサー１１が）むやみに動くことがない。従って、該動きにより遊技釘４３Vや遊技釘４３Wにスペーサー１１が衝突してスペーサー１１が破損したり、これらの遊技釘の姿勢が変わったりするのを防止することができる。
【００７３】
なお、第５実施例のスペーサー１１の凹部は下端１１ａに２個形成されていたが、図１３（ｄ）に示すスペーサー１１のように幅の広い凹部を１個のみ形成することも考えられる。この凹部の幅を第１始動口４７の幅と同じにしておけば、図１３（ｄ）に示すスペーサー１１がパチンコ機１０に装着できない場合には、遊技釘４３Ｓが左右いずれかの方向にズレていると判定することができる。
【００７４】
［他の実施例］
前記実施例のパチンコ機１０は払出制御装置８１を備え、払出装置３３により遊技球を払い出すものであったが、このような実体のある遊技球を払い出さずに、賞球数に対応する数値データを遊技者に付与する遊技機に本発明を適用しても良い。なお、こうした遊技機では、発射に用いる遊技球を遊技機内で循環して繰り返し用いるように構成されるのが一般的である。また、前記実施例のパチンコ機１０は第１始動口４７、及び第２始動口４８を備え、これら各始動口への入球に起因して、それぞれ第１特別図柄表示装置７３および第２特別図柄表示装置７５にて、対応する特別図柄が変動表示されるものであったが、特別図柄表示装置を１個のみ備え、特別図柄が１種類のみのパチンコ機に適用しても勿論よい。こうした遊技機の始動口は１個でもよいし複数あっても良い。始動口が複数ある構成では、いずれの始動口に入球しても同じ特別図柄が変動されることになる。
【符号の説明】
【００７５】
１０…パチンコ機
４０…遊技盤
４３，４３Ｃ，４３Ｓ，４３Ｔ，４３Ｕ、４３Ｖ、４３Ｗ、４３Ｘ、４３Ｙ…遊技釘
４３Ｌ…列
４３Ｗ…風車釘
４３ｂ…胴部
４３ｈ…頭部
４５ｄ…普通入賞口
４６…普通図柄作動ゲート
４７…第１始動口
４８…第２始動口
４９…大入賞口
【図１】
2018183370.tif 000003
【図２】
2018183370.tif 000004
【図３】
2018183370.tif 000005
【図４】
2018183370.tif 000006
【図５】
2018183370.tif 000007
【図６】
2018183370.tif 000008
【図７】
2018183370.tif 000009
【図８】
2018183370.tif 000010
【図９】
2018183370.tif 000011
【図１０】
2018183370.tif 000012
【図１１】
2018183370.tif 000013
【図１２】
2018183370.tif 000014
【図１３】
2018183370.tif 000015